【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
シートのサイズ以外の情報を含む複数のシート属性情報を記憶する記憶ユニットと、印刷装置にサイズ情報を取得する指示を送信する第１送信ユニットと、前記印刷装置から送られてくるサイズ情報に基づいて前記記憶ユニットに記憶された前記複数シート属性情報からシートの属性情報候補を抽出する抽出ユニットと、前記抽出ユニットにより抽出されたシート属性情報候補を前記印刷装置に送信する第２送信ユニットと、を備える印刷制御装置に接続可能に設けられたシートに印刷を行う印刷装置であって、
シートを保持するシート保持ユニットと、
前記シート保持ユニットに保持されたシートのサイズに関する情報を取得するサイズ取得ユニットと、
前記シート保持ユニットに保持されるシートの属性情報を設定する設定ユニットであって、前記サイズ取得ユニットにより取得されたシートサイズに基づいて前記印刷制御装置を介さずに、自動で前記保持ユニットのシートの属性情報を設定することが可能である設定ユニットと、
前記サイズ取得ユニットによる自動のシート属性設定を有効または無効に切り替える切り替えユニットと、
前記切り替えユニットによって、前記サイズ取得ユニットによる自動のシート設定が無効になっていても、前記第１送信ユニットから送信された前記指示に基づいて前記サイズ取得ユニットにより取得されたサイズ情報を前記印刷制御装置に送信する第３送信ユニットと、を備え、
前記設定ユニットは、前記第２送信ユニットから送信された前記シート属性情報候補に基づいてシート保持ユニットに保持されるシートとして設定することが可能であることを特徴とする印刷装置。
【請求項２】
前記シート保持ユニットは、本体に対して装着可能に設けられており、前記シート保持ユニットが装着されたことを検知する検知部をさらに備え、
前記第３送信ユニットは、前記検知部により前記シート保持ユニットが装着されたことを検知した後に、前記サイズ取得ユニットにより取得されたサイズ情報を前記印刷制御装置に送信することを特徴とする請求項１に記載の印刷装置。
【請求項３】
前記シート属性情報候補は、シートのサイズ、シートの坪量、シートの色、シートの種類の少なくとも一つを含むことを特徴とする請求項１又は２に記載の印刷装置。
【請求項４】
ユーザーにより前記シート保持ユニットに保持されたシートとして不定形サイズを設定されていた場合に、前記切り替えユニットは、前記サイズ取得ユニットによる自動のシート属性設定を無効に設定することを特徴とする請求項１乃至３のいずれか１項に記載の印刷装置。
【請求項５】
シートのサイズ以外の情報を含む複数のシート属性情報を記憶する記憶ユニットと、印刷装置にサイズ情報を取得する指示を送信する第１送信ユニットと、前記印刷装置から送られてくるサイズ情報に基づいて前記記憶ユニットに記憶された前記複数シート属性情報からシートの属性情報候補を抽出する抽出ユニットと、前記抽出ユニットにより抽出されたシート属性情報候補を前記印刷装置に送信する第２送信ユニットと、を備える印刷制御装置に接続可能に設けられたシートに印刷を行う印刷装置であって、
シートを保持するシート保持ユニットと、
前記シート保持ユニットに保持されたシートの第２のシート属性情報を取得する取得ユニットと、
前記シート保持ユニットに保持されるシートの属性情報を設定する設定ユニットであって、前記取得ユニットにより取得された第２のシート属性情報に基づいて前記印刷制御装置を介さずに、自動で前記保持ユニットのシートの属性情報を設定することが可能である設定ユニットと、
前記取得ユニットによる自動のシート属性設定を有効または無効に切り替える切り替えユニットと、
前記切り替えユニットによって、前記取得ユニットによる自動のシート設定が無効になっていても、前記第１送信ユニットから送信された前記指示に基づいて前記取得ユニットにより取得された第２のシート属性情報を前記印刷制御装置に送信する第３送信ユニットと、を備え、
前記設定ユニットは、前記第２送信ユニットから送信された前記シート属性情報候補に基づいてシート保持ユニットに保持されるシートとして設定することが可能であることを特徴とする印刷装置。
【請求項６】
前記シート保持ユニットは、本体に対して装着可能に設けられており、前記シート保持ユニットが装着されたことを検知する検知部をさらに備え、
前記第３送信ユニットは、前記検知部により前記シート保持ユニットが装着されたことを検知した後に、前記サイズ取得ユニットにより取得されたサイズ情報を前記印刷制御装置に送信することを特徴とする請求項５に記載の印刷装置。
【請求項７】
前記シート属性情報候補は、シートのサイズ、シートの坪量、シートの色、シートの種類の少なくとも一つを含むことを特徴とする請求項５又は６に記載の印刷装置。
【請求項８】
ユーザーにより前記シート保持ユニットに保持されたシートとして不定形サイズを設定していた場合に、前記切り替えユニットは、前記取得ユニットによる自動のシート属性設定を無効に設定する請求項５乃至７のいずれか１項に記載の印刷装置。
【請求項９】
印刷制御装置と、前記印刷制御装置に接続可能に設けられたシートに印刷を行う印刷装置とを備える印刷システムであって、
印刷制御装置は、
シートのサイズ以外の情報を含む複数のシート属性情報を記憶する記憶ユニットと、
印刷装置にサイズ情報を取得する指示を送信する第１送信ユニットと、
前記印刷装置から送られてくるサイズ情報に基づいて前記記憶ユニットに記憶された前記複数シート属性情報からシートの属性情報候補を抽出する抽出ユニットと、
前記抽出ユニットにより抽出されたシート属性情報候補を前記印刷装置に送信する第２送信ユニットと、を備え、
印刷装置は、
シートを保持するシート保持ユニットと、
前記シート保持ユニットに保持されたシートのサイズに関する情報を取得するサイズ取得ユニットと、
前記シート保持ユニットに保持されるシートの属性情報を設定する設定ユニットであって、前記サイズ取得ユニットにより取得されたシートサイズに基づいて前記印刷制御装置を介さずに、自動で前記保持ユニットのシートの属性情報を設定することが可能である設定ユニットと、
前記サイズ取得ユニットによる自動のシート属性設定を有効または無効に切り替える切り替えユニットと、
前記切り替えユニットによって、前記サイズ取得ユニットによる自動のシート設定が無効になっていても、前記第１送信ユニットから送信された前記指示に基づいて前記サイズ取得ユニットにより取得されたサイズ情報を前記印刷制御装置に送信する第３送信ユニットと、を備え、
前記設定ユニットは、前記第２送信ユニットから送信された前記シート属性情報候補に基づいてシート保持ユニットに保持されるシートとして設定することが可能であることを特徴とする印刷システム。
【請求項１０】
印刷制御装置と、前記印刷制御装置に接続可能に設けられたシートに印刷を行う印刷装置とを備える印刷システムであって、
前記印刷制御装置は、
シートのサイズ以外の情報を含む複数のシート属性情報を記憶する記憶ユニットと、
印刷装置にサイズ情報を取得する指示を送信する第１送信ユニットと、
前記印刷装置から送られてくるサイズ情報に基づいて前記記憶ユニットに記憶された前記複数シート属性情報からシートの属性情報候補を抽出する抽出ユニットと、
前記抽出ユニットにより抽出されたシート属性情報候補を前記印刷装置に送信する第２送信ユニットと、を備え、
前記印刷装置は、
シートを保持するシート保持ユニットと、
前記シート保持ユニットに保持されたシートの第２のシート属性情報を取得する取得ユニットと、
前記シート保持ユニットに保持されるシートの属性情報を設定する設定ユニットであって、前記取得ユニットにより取得された第２のシート属性情報に基づいて前記印刷制御装置を介さずに、自動で前記保持ユニットのシートの属性情報を設定することが可能である設定ユニットと、
前記取得ユニットによる自動のシート属性設定を有効または無効に切り替える切り替えユニットと、
前記切り替えユニットによって、前記取得ユニットによる自動のシート設定が無効になっていても、前記第１送信ユニットから送信された前記指示に基づいて前記取得ユニットにより取得された第２のシート属性情報を前記印刷制御装置に送信する第３送信ユニットと、を備え、
前記設定ユニットは、前記第２送信ユニットから送信された前記シート属性情報候補に基づいてシート保持ユニットに保持されるシートとして設定することが可能であることを特徴とする印刷システム。
【請求項１１】
印刷制御装置と、前記印刷制御装置に接続可能に設けられたシートに印刷を行う印刷装置とを備える印刷システムの制御方法であって、
前記印刷制御装置は、シートのサイズ以外の情報を含む複数のシート属性情報を記憶する記憶ユニットと、前記印刷装置にサイズ情報を取得する指示を送信する第１送信ユニットと、前記印刷装置から送られてくるサイズ情報に基づいて前記記憶ユニットに記憶された前記複数シート属性情報からシートの属性情報候補を抽出する抽出ユニットと、前記抽出ユニットにより抽出されたシート属性情報候補を前記印刷装置に送信する第２送信ユニットと、を備え、
前記印刷装置は、シートを保持するシート保持ユニットと、シート保持ユニットに保持されたシートのサイズに関する情報を取得するサイズ取得ユニットとを、備え、
前記制御方法は、
シート保持ユニットに保持されるシートの属性情報を設定する設定ステップであって、前記サイズ取得ユニットにより取得されたシートサイズに基づいて前記印刷制御装置を介さずに、自動で前記保持ユニットのシートの属性情報を設定することが可能である設定ステップと、
前記サイズ取得ユニットによる自動のシート属性設定を有効または無効に切り替える切り替えステップと、
前記切り替えステップによって、前記サイズ取得ユニットによる自動のシート設定が無効になっていても、前記第１送信ユニットから送信された前記指示に基づいて前記サイズ取得ユニットにより取得されたサイズ情報を前記印刷制御装置に送信する送信ステップと、を有し、
前記設定ステップは、前記第２送信ユニットから送信された前記シート属性情報候補に基づいてシート保持ユニットに保持されるシートとして設定することが可能である印刷システムの制御方法。
【請求項１２】
印刷制御装置と、前記印刷制御装置に接続可能に設けられたシートに印刷を行う印刷装置とを備える印刷システムの制御方法であって、
前記印刷制御装置は、
第１のシート属性情報を記憶する記憶ユニットと、印刷装置に第２のシート属性情報を取得する指示を送信する第１送信ユニットと、前記印刷装置から送られてくる第２のシート属性情報に基づいて記憶ユニットに記憶された複数の前記第１のシート属性情報からシートの属性情報候補を抽出する抽出ユニットと、前記抽出ユニットにより抽出されたシート属性情報候補を前記印刷装置に送信する第２送信ユニットと、を備え、
前記印刷装置は、シートを保持するシート保持ユニットと、シート保持ユニットに保持された第２のシート属性情報を取得する取得ユニットとを、備え、
前記制御方法は、
シート保持ユニットに保持されるシートの属性情報を設定する設定ステップであって、前記取得ユニットにより取得された第２のシート属性情報に基づいて前記印刷制御装置を介さずに、自動で前記保持ユニットのシートの属性情報を設定することが可能である設定ステップと、
前記取得ユニットによる自動のシート属性設定を有効または無効に切り替える切り替えステップと、
前記切り替えステップによって、前記取得ユニットによる自動のシート設定が無効になっていても、前記第１送信ユニットから送信された前記指示に基づいて前記取得ユニットにより取得された第２のシート属性情報を前記印刷制御装置に送信する送信ステップと、を備え、
前記設定ステップは、前記第２送信ユニットから送信された前記シート属性情報候補に基づいてシート保持ユニットに保持されるシートとして設定することが可能である印刷システムの制御方法。
【請求項１３】
請求項１１又は１２に記載された制御方法を印刷システムのコンピュータに実行させるためのプログラム。
【手続補正２】
【補正対象書類名】明細書
【補正対象項目名】発明の名称
【補正方法】変更
【補正の内容】
【発明の名称】印刷システム、印刷装置、印刷システムの制御方法、及びプログラム
【手続補正３】
【補正対象書類名】明細書
【補正対象項目名】００１０
【補正方法】変更
【補正の内容】
【００１０】
上記目的を達成するために本発明の一態様に係る印刷装置は、シートのサイズ以外の情報を含む複数のシート属性情報を記憶する記憶ユニットと、印刷装置にサイズ情報を取得する指示を送信する第１送信ユニットと、前記印刷装置から送られてくるサイズ情報に基づいて前記記憶ユニットに記憶された前記複数シート属性情報からシートの属性情報候補を抽出する抽出ユニットと、前記抽出ユニットにより抽出されたシート属性情報候補を前記印刷装置に送信する第２送信ユニットと、を備える印刷制御装置に接続可能に設けられたシートに印刷を行う印刷装置であって、
シートを保持するシート保持ユニットと、前記シート保持ユニットに保持されたシートのサイズに関する情報を取得するサイズ取得ユニットと、前記シート保持ユニットに保持されるシートの属性情報を設定する設定ユニットであって、前記サイズ取得ユニットにより取得されたシートサイズに基づいて前記印刷制御装置を介さずに、自動で前記保持ユニットのシートの属性情報を設定することが可能である設定ユニットと、前記サイズ取得ユニットによる自動のシート属性設定を有効または無効に切り替える切り替えユニットと、前記切り替えユニットによって、前記サイズ取得ユニットによる自動のシート設定が無効になっていても、前記第１送信ユニットから送信された前記指示に基づいて前記サイズ取得ユニットにより取得されたサイズ情報を前記印刷制御装置に送信する第３送信ユニットと、を備え、前記設定ユニットは、前記第２送信ユニットから送信された前記シート属性情報候補に基づいてシート保持ユニットに保持されるシートとして設定することが可能であることを特徴とする。